(57)【要約】【課題】本発明は、デジタルマルチメディア放送における著作権料課金処理システム及び課金処理方法に関する。【解決手段】本発明の方法は、ＤＭＢ事業者コンピュータの制御に応じて送出されるコンテンツを受信するように構成された受信端末機でユーザーのキー操作または予約に基づいて現在放送中のコンテンツを貯蔵する過程；ユーザーにより貯蔵されたコンテンツの著作権料支払いのための課金データを生成し課金処理事業者コンピュータへ伝送する過程；課金処理事業者コンピュータで課金データに基づいて著作権料を精算し、ＤＭＢ事業者コンピュータへ伝送する過程；ＤＭＢ事業者コンピュータで著作権料精算情報に基づいて著作権料を徴収する過程；及び利益金の一部を著作権料精算情報提供の対価として前記課金処理事業者コンピュータへ提供する過程；を含んでなる。【選択図】図２
2008502074.tif 000002
【特許請求の範囲】
【請求項１】
衛星または中継器を通じて音源、映像などの各種のコンテンツの放送送出を行い、課金処理事業者より提供されるデジタルマルチメディア放送を受信するユーザーのコンテンツ貯蔵による著作権料精算情報に基づいて各ユーザーの著作権料課金処理を行うＤＭＢ事業者コンピュータ；
デジタルマルチメディア放送サービスを用いるユーザーの操作による放送中の音源、映像などのコンテンツの貯蔵を含んだ受信端末機の各種の機能に対するキー信号を入力されるキー入力部と、
前記ＤＭＢ事業者コンピュータの制御に応じて送出される音源、映像などの各種のコンテンツの受信と再生処理を制御し、前記キー入力部より現在受信される音源、映像などのコンテンツを貯蔵するためのキー信号が入力されるか、または事前に予約された録音スタート時間になれば前記ＤＭＢ事業者コンピュータの制御に応じて送出されるコンテンツの貯蔵を制御し、前記キー入力部から録音終了に対するキー信号が入力されるか録音終了時間になればユーザーの操作によって貯蔵したコンテンツの著作権料支払いのための課金データの生成を制御し、著作権料支払いのために生成された課金データを前記課金処理事業者コンピュータへ伝送するように制御する制御部と、
前記制御部の制御に応じて、前記ＤＭＢ事業者コンピュータの制御に応じて送出される音源、映像などの各種のコンテンツを受信する放送信号受信部と、前記制御部の制御に応じて、前記放送信号受信部を通じて受信した映像データを画面上に表示し、前記受信端末機の現在の動作状態を画面上に表示する表示部と、前記制御部の制御に応じて、前記放送信号受信部を通じて受信した音源データをスピーカーを通じて再生、出力するオーディオ信号出力部と、前記制御部の制御に応じて、前記放送信号受信部を通じて受信される音源、映像などのコンテンツを貯蔵し、前記制御部の要請に応じて貯蔵された特定のコンテンツを出力する貯蔵部と、
前記制御部の制御に応じて前記貯蔵部に貯蔵したコンテンツの著作権料支払いのための課金データを加入者情報、コンテンツ貯蔵時間情報、チャンネル情報、貯蔵コンテンツＩＤなどに基づいて生成する課金データ生成部と、
前記制御部の制御に応じて、前記課金データ生成部で生成した課金データを通信網を通じて前記課金処理事業者コンピュータへ伝送する課金データ送受信部とを備えた受信端末機；及び
通信網（リターンチャンネル：無線インターネット及び短文メッセージ伝送などを行う携帯電話通信網、両方向ページャー網、携帯インターネット（ワイブロ）などを含む）を通じて前記受信端末機よりユーザーの音源、映像などのコンテンツ貯蔵により生成された課金データを受信し、前記受信端末機より受信した課金データに基づいて各ユーザーが支払うべき著作権料を精算し、精算された著作権料精算情報を通信網を通じて前記ＤＭＢ事業者コンピュータへ伝送する課金処理事業者コンピュータを含んで構成されたことを特徴とするデジタルマルチメディア放送における著作権料課金処理システム。
【請求項２】
前記制御部は、
ユーザーのキー操作または予約などによる音源、映像などのコンテンツの貯蔵に応じて前記課金データ生成部で加入者情報、コンテンツ貯蔵時間情報、チャンネル情報、貯蔵コンテンツＩＤなどに基づいて生成した課金データを前記課金データ送受信部を通じて前記課金処理事業者コンピュータへ伝送した以後、これを受信したことを知らせる受信確認データが前記課金処理事業者コンピュータより受信されれば、課金データ伝送処理を終了し、前記課金データ生成部で生成した課金データを前記課金データ送受信部を通じて前記課金処理事業者コンピュータへ伝送した以後、これを受信したことを知らせる受信確認データが前記課金処理事業者コンピュータより受信されなければ、一定の時間間隔、決まった回数だけ課金データを前記課金処理事業者コンピュータへ再伝送するように制御することを特徴とする請求項１に記載のデジタルマルチメディア放送における著作権料課金処理システム。
【請求項３】
前記課金処理事業者コンピュータは、
通信網を通じて前記受信端末機よりユーザーの音源、映像などのコンテンツの貯蔵により生成された課金データを受信され、課金データを受信されたことを知らせる受信確認データを前記受信端末機へ伝送し、前記受信端末機より受信された課金データに基づいて精算された各ユーザーの著作権料精算情報を前記ＤＭＢ事業者コンピュータへ伝送し、各ユーザーの著作権料精算情報を受信したことを知らせる受信確認データを前記ＤＭＢ事業者コンピュータより受信されるデータ送受信部；
前記データ送受信部を通じて前記受信端末機より受信した課金データに基づいて各ユーザーが支払うべき著作権料の精算処理及び貯蔵を制御し、各ユーザーが支払うべき著作権料課金処理情報を前記データ送受信部を通じて前記ＤＭＢ事業者コンピュータへ伝送するように制御する制御部；
前記制御部の制御に応じて、前記受信端末機より受信した課金データに基づいて各ユーザーが支払うべき著作権料を精算する著作権料精算処理部；及び
前記ＤＭＢ事業者コンピュータの制御に応じて送出される放送プログラム情報及び音源、映像などのコンテンツに対する著作権料情報を貯蔵しており、前記制御部の制御に応じて、前記著作権料精算処理部で精算した各ユーザーの著作権料精算情報を貯蔵するデータベースを含んで構成されたことを特徴とする請求項１に記載のデジタルマルチメディア放送における著作権料課金処理システム。
【請求項４】
前記受信端末機は、
前記ＤＭＢ事業者コンピュータの制御に応じて送出される特徴チャンネル（チャンネル番号で区分するか別途のダウンロードフラッグで区分）の場合にのみコンテンツの貯蔵が可能であるように構成されたことを特徴とする請求項１に記載のデジタルマルチメディア放送における著作権料課金処理システム。
【請求項５】
前記受信端末機は、
前記ＤＭＢ事業者コンピュータの制御に応じて送出される特定のコンテンツを貯蔵するとき、当該受信端末機でのみ再生できるようにＤＲＭソリューションを適用可能なことを特徴とする請求項１に記載のデジタルマルチメディア放送における著作権料課金処理システム。
【請求項６】
前記受信端末機は、
ユーザーが予約を通じて特定のコンテンツを貯蔵するとき、無線インターネットにより所望の日付の放送プログラム編成表を照会し、所望のコンテンツを指定すれば、当該時間情報に基づいて予約貯蔵を行うことができるようにＥＰＧ（Ｅｌｅｃｔｒｏｎｉｃ Ｐｒ
ｏｇｒａｍ Ｇｕｉｄｅ）機能を備えたことを特徴とする請求項１に記載のデジタルマル
チメディア放送における著作権料課金処理システム。
【請求項７】
前記受信端末機は、
ユーザーの操作により一つ以上のコンテンツを貯蔵するとき、何れか一つのコンテンツとその次のコンテンツのデリミタを基準としてそれぞれのコンテンツを個別のファイルに区分して貯蔵することを特徴とする請求項１に記載のデジタルマルチメディア放送における著作権料課金処理システム。
【請求項８】
（１）ＤＭＢ事業者コンピュータより音源、映像などのコンテンツを衛星または中継器を通じて会員として加入された各受信端末機で貯蔵しやすく送出する過程；
（２）前記ＤＭＢ事業者コンピュータの制御に応じて送出される音源、映像などのコンテンツを受信する前記受信端末機でユーザーのキー操作により録音スタートが選択されるか
、事前に予約された録音スタート時間になったのかを判断する過程；
（３）ユーザーのキー操作により録音スタートが選択されるか、事前に予約された録音スタート時間であれば、前記受信端末機で前記ＤＭＢ事業者コンピュータの制御に応じて送出される音源、映像などのコンテンツの貯蔵を行うと同時に著作権料支払いのための課金データの生成を準備する過程；
（４）現在放送中のコンテンツの貯蔵を行う前記受信端末機でユーザーのキー操作により録音終了が選択されるか、事前に予約された録音終了時間になったのかを判断する過程；（５）ユーザーのキー操作により録音終了が選択されるか、事前に予約された録音終了時間であれば、前記受信端末機でユーザーが貯蔵したコンテンツの著作権料支払いのための基礎情報である課金データを生成し、生成された課金データを通信網（リターンチャンネル：無線インターネット及び短文メッセージ伝送などを行う携帯電話通信網、両方向ページャー網、携帯インターネット（ワイブロ）などを含む）を通じて課金処理事業者コンピュータへ伝送する過程；
（６）前記受信端末機より著作権料課金のための課金データを受信した前記課金処理事業者コンピュータで前記受信端末機より受信された課金データに基づいて各ユーザーが支払うべき著作権料を精算し、精算された著作権料精算情報を通信網を通じて前記ＤＭＢ事業者コンピュータへ伝送する過程；及び
（７）前記ＤＭＢ事業者コンピュータで前記課金処理事業者コンピュータより受信された著作権料精算情報に基づいて各ユーザーの著作権料の徴収処理を制御し、利益金の一部を著作権料精算情報提供の対価として前記課金処理事業者コンピュータへ提供するように制御する過程を含んでなることを特徴とするデジタルマルチメディア放送における著作権料課金処理方法。
【請求項９】
前記過程（５）を通じて前記受信端末機でユーザーのキー操作または事前予約により音源、映像などのコンテンツを貯蔵する場合生成される課金データには、加入者情報、スタート時間、終了時間、チャンネル情報、貯蔵コンテンツ情報などが含まれていることを特徴とする請求項８に記載のデジタルマルチメディア放送における著作権料課金処理方法。
【請求項１０】
前記過程（５）を通じて前記受信端末機で前記課金処理事業者コンピュータへ伝送される課金データは、無線インターネット及び短文メッセージ伝送などを行う携帯電話通信網、両方向ページャー網、携帯インターネットなどの様々なリターンチャンネル（通信網）を用いて伝送されることを特徴とする請求項８に記載のデジタルマルチメディア放送における著作権料課金処理方法。
【請求項１１】
前記過程（５）を通じてユーザーのコンテンツ貯蔵によって生成される課金データを前記課金処理事業者コンピュータへ伝送する前記受信端末機は、前記課金処理事業者コンピュータより課金データを受信したことを知らせる受信確認データが受信されれば課金データ伝送処理を終了し、前記課金処理事業者コンピュータより課金データを受信したことを知らせる受信確認データが受信されなければ、一定の時間間隔、決まった回数だけ課金データを前記課金処理事業者コンピュータへ再伝送することを特徴とする請求項８に記載のデジタルマルチメディア放送における著作権料課金処理方法。
【請求項１２】
（１）ＤＭＢ事業者コンピュータより音源、映像などのコンテンツを衛星または中継器を通じて会員として加入された各受信端末機で貯蔵しやすく送出する過程；
（２）前記ＤＭＢ事業者コンピュータの制御に応じて送出される音源、映像などのコンテンツを受信する前記受信端末機で前記音源、映像などのコンテンツに含まれた貯蔵（録音、録画）スタートキー値を検出して貯蔵（録音、録画）対象コンテンツであることを認識し前記コンテンツを臨時貯蔵領域に貯蔵する過程；
（３）前記ユーザーの貯蔵キー入力信号を受け、放送中の前記音源、映像などのコンテンツに含まれた貯蔵（録音、録画）終了キー値が検出されれば前記受信端末機で前記ＤＭＢ
事業者コンピュータの制御に応じて送出される音源、映像などのコンテンツの著作権料支払いのための課金データを生成する過程；
（４）前記生成された課金データを通信網（リターンチャンネル：無線インターネット及び短文メッセージ伝送などを行う携帯電話通信網、両方向ページャー網、携帯インターネット（ワイブロ）などを含む）を通じて課金処理事業者コンピュータへ伝送する過程；
（５）前記受信端末機は前記課金処理事業者コンピュータより課金データを受信したことを知らせる受信確認データが受信されれば課金データ伝送処理を終了し、前記臨時貯蔵領域に貯蔵中の前記音源、映像などのコンテンツを受信端末機の特定貯蔵領域（Ｐｒｏｔｅｃｔｉｏｎ Ｍｅｍｏｒｙ）に再度貯蔵し、貯蔵成功を知らせるメッセージを表示する過
程；
（６）前記受信端末機より著作権料課金のための課金データを受信した前記課金処理事業者コンピュータで前記受信端末機より受信された課金データに基づいて各ユーザーが支払うべき著作権料を精算し、精算された著作権料精算情報を通信網を通じて前記ＤＭＢ事業者コンピュータへ伝送する過程；及び
（７）前記ＤＭＢ事業者コンピュータで前記課金処理事業者コンピュータより受信された著作権料精算情報に基づいて各ユーザーの著作権料徴収処理を制御し、利益金の一部を著作権料精算情報提供の対価として前記課金処理事業者コンピュータへ提供するように制御する過程を含んでなることを特徴とするデジタルマルチメディア放送における著作権料課金処理方法。
【請求項１３】
前記過程（３）は、
前記ユーザーの貯蔵キー入力信号がなく、放送中の前記音源、映像などのコンテンツに含まれた貯蔵（録音、録画）終了キー値を検出すれば臨時貯蔵領域に貯蔵された前記音源、映像などのコンテンツを削除する過程をさらに含むことを特徴とする請求項１２に記載のデジタルマルチメディア放送における著作権料課金処理方法。
【請求項１４】
前記過程（５）は、
前記課金処理事業者コンピュータより課金データを受信したことを知らせる受信確認データが受信されなければ、受信端末機２００においては一定の時間間隔、決まった回数だけ課金データを課金処理事業者コンピュータ３００へ再伝送した後、決まった回数以内に最終的に受信確認データが受信されなければ課金データの伝送処理を終了し、貯蔵失敗を知らせるメッセージを表示し前記臨時貯蔵領域に貯蔵中の前記音源、映像などのコンテンツを削除する過程をさらに含むことを特徴とする請求項１２に記載のデジタルマルチメディア放送における著作権料課金処理方法。
【請求項１５】
（１）ユーザーがＥＰＧを用いてコンテンツインデックス（歌手、曲名、題目など）を用いて選択したコンテンツの予約貯蔵キー値を受信端末機に貯蔵し、ＤＭＢ事業者コンピュータより予約貯蔵キー値が含まれた音源、映像などのコンテンツを衛星または中継器を通じて会員として加入された各受信端末機で貯蔵しやすく送出する過程；
（２）前記ＤＭＢ事業者コンピュータの制御に応じて送出される音源、映像などのコンテンツを受信する前記受信端末機で前記音源、映像などのコンテンツに含まれた貯蔵（録音、録画）スタートキー値を検出して貯蔵（録音、録画）対象コンテンツであることを認識し前記コンテンツを臨時貯蔵領域に貯蔵する過程；
（３）前記音源、映像などのコンテンツに含まれた予約貯蔵キー値を検出して前記ユーザーが予め貯蔵した予約貯蔵キー値と比較して一致すると、放送中の前記音源、映像などのコンテンツに含まれた貯蔵（録音、録画）終了キー値を検出して前記受信端末機で前記ＤＭＢ事業者コンピュータの制御に応じて送出される音源、映像などのコンテンツの著作権料支払いのための課金データを生成する過程；
（４）前記生成された課金データを通信網（リターンチャンネル：無線インターネット及び短文メッセージ伝送などを行う携帯電話通信網、両方向ページャー網、携帯インターネ
ット（ワイブロ）などを含む）を通じて課金処理事業者コンピュータへ伝送する過程；
（５）前記受信端末機は前記課金処理事業者コンピュータより課金データを受信したことを知らせる受信確認データが受信されれば課金データ伝送処理を終了し、前記臨時貯蔵領域に貯蔵中の前記音源、映像などのコンテンツを受信端末機の特定貯蔵領域（Ｐｒｏｔｅｃｔｉｏｎ Ｍｅｍｏｒｙ）に再度貯蔵し、貯蔵成功を知らせるメッセージを表示する過
程；
（６）前記受信端末機より著作権料課金のための課金データを受信した前記課金処理事業者コンピュータで前記受信端末機より受信された課金データに基づいて各ユーザーが支払うべき著作権料を精算し、精算された著作権料精算情報を通信網を通じて前記ＤＭＢ事業者コンピュータへ伝送する過程；及び
（７）前記ＤＭＢ事業者コンピュータで前記課金処理事業者コンピュータより受信された著作権料精算情報に基づいて各ユーザーの著作権料徴収処理を制御し、利益金の一部を著作権料精算情報提供の対価として前記課金処理事業者コンピュータへ提供するように制御する過程を含んでなることを特徴とするデジタルマルチメディア放送における著作権料課金処理方法。
【請求項１６】
前記過程（３）は、
前記音源、映像などのコンテンツに含まれた予約貯蔵キー値を検出して前記ユーザーが予め貯蔵した予約貯蔵キー値がないかまたは貯蔵した予約貯蔵キー値と比較して一致せず、放送中の前記音源、映像などのコンテンツに含まれた貯蔵（録音、録画）終了キー値を検出すれば、臨時貯蔵領域に貯蔵された前記音源、映像などのコンテンツを削除し終了する過程をさらに含むことを特徴とする請求項１５に記載のデジタルマルチメディア放送における著作権料課金処理方法。
【発明の詳細な説明】
【技術分野】
【０００１】
本発明は、著作権料課金処理システム及び課金処理方法に関する。
より詳しくは、専用の受信端末機を通じてデジタルマルチメディア放送（ＤＭＢ：Ｄｉｇｉｔａｌ Ｍｕｌｔｉｍｅｄｉａ Ｂｒｏａｄｃａｓｔｉｎｇ）を用いるユーザーが音源、映像などのコンテンツを貯蔵する場合、これを認識して課金処理できるようにするデジタルマルチメディア放送における著作権料課金処理システム及び課金処理方法に関する。
【背景技術】
【０００２】
最近、高画質の映像とＣＤレベルの音楽などの様々なマルチメディア信号をデジタル方式で固定・携帯・車両用受信機に提供する放送サービスであるデジタルマルチメディア放送の実施が近づいている。
【０００３】
デジタルマルチメディア放送は、移動中にも個人携帯電話（セルラーフォン、ＰＣＳ（Ｐｅｒｓｏｎａｌ Ｃｏｍｍｕｎｉｃａｔｉｏｎ Ｓｅｒｖｉｃｅ）フォンなど）、個人携帯情報端末機（ＰＤＡ）や車両用端末機を通じてＣＤ・ＤＶＤ級の高音質、高画質放送を提供し、提供方式はシステムＡ・Ｄｈ・Ｅなど三つのシステムがある。システムＡは、デジタル衛星放送と地上波ＤＭＢのヨーロッパ式デジタル放送規格（ＯＦＤＭ：直交周波数分割多重）に従っており、システムＤｈは、地上波ＤＭＢを基盤とし衛星ＤＭＢを受用する混合方式を採択しており、システムＥは、符号分割多重接続（ＣＤＭＡ）と殆ど同様なコード分割多重（ＣＤＭ）方式を採択している。
【０００４】
このようなデジタルマルチメディア放送は後述するように地上波ＤＭＢと衛星ＤＭＢとしてサービスされることができる。
地上波ＤＭＢは、現在空いているＶＨＦ１２番チャンネルを用いた移動受信用マルチメディア放送である。１個のチャンネルを分割すれば３個のブロックが生成されるが、１個のブロック当たりビデオ２チャンネルあるいはビデオ１チャンネルとオーディオ３〜４本のチャンネルとが生成されると予想しており、主に車両における利用を念頭に置いており無料放送を目標としている。
【０００５】
そして、衛星ＤＭＢは、地上波ＤＭＢとは異なり衛星体を用いて放送し、受信率が低い都心地域はギャップフィラー（Ｇａｐ‐Ｆｉｌｌｅｒ）という一種の中継器を活用して受信する方式であって、おおよそビデオ１１本、オーディオ２５本、データ３本など、全３９本のチャンネルとして運営する計画であり、安価な費用でサービスを提供することを目標としている。
【０００６】
しかし、上述したように、デジタルマルチメディア放送サービスは、著作権料の課金処理に対するシステムを備えていないため、ユーザーが受信端末機を用いて放送中の音楽、映像などの各種のコンテンツを直接貯蔵（録音、録画など）する場合、現在インターネット上においてコンテンツサービスを提供するオンライン事業者、著作権者、ユーザー間に尖鋭に対立している著作権料紛争と同様の問題が発生する懸念が非常に高いという実情がある。
【発明の開示】
【発明が解決しようとする課題】
【０００７】
本発明の目的は、前述した問題点を解決するために、専用の受信端末機を通じてデジタルマルチメディア放送を用いるユーザーが音源、映像などのコンテンツを現在放送中の状
態で貯蔵するか、または予約を通じて貯蔵する場合、これを認識して各ユーザーのコンテンツ貯蔵による著作権料の課金処理を自動化できるようにするデジタルマルチメディア放送における著作権料課金処理システム及び課金処理方法を提供することにある。
【発明の効果】
【０００８】
上述したように、本発明のデジタルマルチメディア放送における著作権料課金処理システム及び課金処理方法によると、専用の受信端末機を通じてデジタルマルチメディア放送を受信する際、ユーザーの貯蔵（録音、録画）操作または事前予約を通じて音源、映像などのコンテンツを受信端末機に貯蔵する場合、ユーザーやＤＭＢ事業者が別途の操作を行わずに課金処理事業者を通じてユーザーが支払うべき著作権料の課金処理精算を加入者情報、コンテンツ貯蔵時間情報、チャンネル情報、貯蔵コンテンツＩＤなどに基づいて行うことができる。
【０００９】
また、コンテンツ貯蔵による著作権料の徴収処理を加入者情報、コンテンツ貯蔵時間情報、チャンネル情報、貯蔵コンテンツＩＤなどに基づいて自動化することによって、著作権と関連したユーザー及び事業者間の紛争を予防することができ、デジタルマルチメディア放送サービスを提供するＤＭＢ事業者、著作権者、課金処理代行事業者の著作権関連収入を大いに増大させることができる。
【課題を解決するための手段】
【００１０】
上述した目的は、デジタルマルチメディア放送における著作権料課金処理システムとして、衛星または中継器を通じて音源、映像などの各種のコンテンツの放送送出を行い、課金処理事業者より提供されるデジタルマルチメディア放送を受信するユーザーのコンテンツ貯蔵による著作権料精算情報に基づいて各ユーザーの著作権料課金処理を行うＤＭＢ事業者コンピュータと、
ＤＭＢ事業者コンピュータの制御に応じて送出される音源、映像などの各種のコンテンツを受信して再生し、ユーザーが現在受信される音源、映像などのコンテンツを放送中の状態で貯蔵するか、または予約を通じて貯蔵する場合、コンテンツ貯蔵による著作権料支払いのための課金データを加入者情報、コンテンツ貯蔵時間情報、チャンネル情報、貯蔵コンテンツＩＤなどに基づいて生成し、生成された課金データを通信網（リターンチャンネル：無線インターネット及び短文メッセージ伝送などを行う携帯電話通信網、両方向ページャー網、携帯インターネット（ワイブロ）などを含む）を通じて著作権料精算処理を行う事業者が運営するコンピュータへ伝送する受信端末機と、
通信網を通じて受信端末機からユーザーの音源、映像などのコンテンツ貯蔵により生成された課金データを受信され、受信端末機より受信された課金データに基づいて各ユーザーが支払うべき著作権料を精算し、精算された著作権料精算情報を通信網を通じてＤＭＢ事業者コンピュータへ伝送する課金処理事業者コンピュータを含んでなる課金処理システムと、
ＤＭＢ事業者コンピュータより音源、映像などのコンテンツを衛星または中継器を通じて会員として加入された各受信端末機で貯蔵しやすく送出する過程と、ＤＭＢ事業者コンピュータの制御に応じて送出される音源、映像などのコンテンツを受信する受信端末機でユーザーのキー操作により録音スタートが選択されるか、事前に予約された録音スタート時間になったのかを判断する過程と、
ユーザーのキー操作により録音スタートが選択されるか、事前に予約された録音スタート時間であれば、受信端末機でＤＭＢ事業者コンピュータの制御に応じて送出される音源、映像などのコンテンツの貯蔵を行うと同時に著作権料支払いのための課金データの生成を準備する過程と、
現在放送中のコンテンツの貯蔵を行う受信端末機でユーザーのキー操作により録音終了が選択されるか、事前に予約された録音終了時間になったのかを判断する過程と、ユーザーのキー操作により録音終了が選択されるか、事前に予約された録音終了時間であれば、
受信端末機でユーザーが貯蔵したコンテンツの著作権料支払いのための基礎情報である課金データを生成し、生成された課金データを通信網（リターンチャンネル：無線インターネット及び短文メッセージ伝送などを行う携帯電話通信網、両方向ページャー網、携帯インターネット（ワイブロ）などを含む）を通じて課金処理事業者コンピュータへ伝送する過程と、受信端末機より著作権料課金のための課金データを受信した課金処理事業者コンピュータで受信端末機より受信された課金データに基づいて各ユーザーが支払うべき著作権料を精算し、精算された著作権料精算情報を通信網を通じてＤＭＢ事業者コンピュータへ伝送する過程と、
ＤＭＢ事業者コンピュータで課金処理事業者コンピュータより受信された著作権料精算情報に基づいて各ユーザーの著作権料の徴収処理を制御し、利益金の一部を著作権料精算情報提供の対価として課金処理事業者コンピュータへ提供するように制御する過程を含んでなる課金処理方法と、
ＤＭＢ事業者コンピュータより音源、映像などのコンテンツを衛星または中継器を通じて会員として加入された各受信端末機で貯蔵しやすく送出する過程と、
前記ＤＭＢ事業者コンピュータの制御に応じて送出される音源、映像などのコンテンツを受信する前記受信端末機で前記音源、映像などのコンテンツに含まれた貯蔵（録音、録画）スタートキー値を検出して貯蔵（録音、録画）対象コンテンツであることを認識し前記コンテンツを臨時貯蔵領域に貯蔵する過程と、
前記ユーザーの貯蔵キー入力信号を受け、放送中の前記音源、映像などのコンテンツに含まれた貯蔵（録音、録画）終了キー値を検出して前記受信端末機で前記ＤＭＢ事業者コンピュータの制御に応じて送出される音源、映像などのコンテンツの著作権料支払いのための課金データを生成する過程と、
前記生成された課金データを通信網（リターンチャンネル：無線インターネット及び短文メッセージ伝送を行う携帯電話通信網、両方向ページャー網、携帯インターネット（ワイブロ）などを含む）を通じて課金処理事業者コンピュータへ伝送する過程と、
前記受信端末機は前記課金処理事業者コンピュータより課金データを受信したことを知らせる受信確認データが受信されれば課金データ伝送処理を終了し、前記臨時貯蔵領域に貯蔵中の前記音源、映像などのコンテンツを受信端末機の特定貯蔵領域（Ｐｒｏｔｅｃｔｉｏｎ Ｍｅｍｏｒｙ）に貯蔵し、貯蔵成功を知らせるメッセージを表示する過程と、
前記受信端末機より著作権料課金のための課金データを受信した前記課金処理事業者コンピュータで前記受信端末機より受信された課金データに基づいて各ユーザーが支払うべき著作権料を精算し、精算された著作権料精算情報を通信網を通じて前記ＤＭＢ事業者コンピュータへ伝送する過程及び前記ＤＭＢ事業者コンピュータで前記課金処理事業者コンピュータより受信された著作権料精算情報に基づいて各ユーザーの著作権料徴収処理を制御し、利益金の一部を著作権料精算情報提供の対価として前記課金処理事業者コンピュータへ提供するように制御する過程を含んでなる課金処理方法と、
ユーザーがＥＰＧを用いてコンテンツインデックス（歌手、曲名、題目など）を用いて選択したコンテンツの予約貯蔵キー値を受信端末機に貯蔵し、ＤＭＢ事業者コンピュータより予約貯蔵キー値が含まれた音源、映像などのコンテンツを衛星または中継器を通じて会員として加入された各受信端末機で貯蔵しやすく送出する過程と、
前記ＤＭＢ事業者コンピュータの制御に応じて送出される音源、映像などのコンテンツを受信する前記受信端末機で前記音源、映像などのコンテンツに含まれた貯蔵（録音、録画）スタートキー値を検出して貯蔵（録音、録画）対象コンテンツであることを認識し前記コンテンツを臨時貯蔵領域に貯蔵する過程と、
前記音源、映像などのコンテンツに含まれた予約貯蔵キー値を検出して前記ユーザーが予め貯蔵した予約貯蔵キー値と比較して一致すると、放送中の前記音源、映像などのコンテンツに含まれた貯蔵（録音、録画）終了キー値を検出して前記受信端末機で前記ＤＭＢ事業者コンピュータの制御に応じて送出される音源、映像などのコンテンツの著作権料支払いのための課金データを生成する過程と、
前記生成された課金データを通信網（リターンチャンネル：無線インターネット及び短
文メッセージ伝送などを行う携帯電話通信網、両方向ページャー網、携帯インターネット（ワイブロ）などを含む）を通じて課金処理事業者コンピュータへ伝送する過程と、
前記受信端末機は前記課金処理事業者コンピュータより課金データを受信したことを知らせる受信確認データが受信されれば課金データ伝送処理を終了し、前記臨時貯蔵領域に貯蔵中の前記音源、映像などのコンテンツを受信端末機の特定貯蔵領域（Ｐｒｏｔｅｃｔｉｏｎ Ｍｅｍｏｒｙ）に貯蔵し、貯蔵成功を知らせるメッセージを表示する過程と、
前記受信端末機より著作権料課金のための課金データを受信した前記課金処理事業者コンピュータで前記受信端末機より受信された課金データに基づいて各ユーザーが支払うべき著作権料を精算し、精算された著作権料精算情報を通信網を通じて前記ＤＭＢ事業者コンピュータへ伝送する過程及び前記ＤＭＢ事業者コンピュータで前記課金処理事業者コンピュータより受信された著作権料精算情報に基づいて各ユーザーの著作権料徴収処理を制御し、利益金の一部を著作権料精算情報提供の対価として前記課金処理事業者コンピュータへ提供するように制御する過程を含んでなる課金処理方法を提供することで達成される。
【発明を実施するための最良の形態】
【００１１】
以下、添付した図面を参照しながら本発明のデジタルマルチメディア放送における著作権料課金処理システム及び課金処理方法を詳しく説明する。
図１ａ、１ｂは、本発明によるデジタルマルチメディア放送における著作権料課金処理システムの構成を概略的に示したブロック図である。
【００１２】
図面に示したように、ＤＭＢ事業者コンピュータ１００は、衛星ＤＭＢまたは地上波ＤＭＢのサービス環境に応じて衛星や中継器を通じて会員として加入された各受信端末機２００に音源、映像などの各種のコンテンツを送出することを制御し、放送以後の課金処理事業者コンピュータ３００より各種のコンテンツを受信端末機２００上で直接貯蔵するユーザーが支払うべき著作権料精算情報を提供され、課金処理事業者コンピュータ３００より提供された著作権料精算情報に基づいて各ユーザーの著作権料課金処理を制御する。
【００１３】
一方、課金処理事業者コンピュータ３００より提供された著作権料精算情報に基づいて各ユーザーの著作権料課金処理を行うとき、上述したＤＭＢ事業者コンピュータ１００でこれを制御するのが最も望ましい実施例であるが、これに限定されるものではなく、別途の料金徴収代行業者を通じて行うことができることは勿論である。
【００１４】
受信端末機２００は、ＤＭＢ事業者コンピュータ１００の制御に応じて送出される音源、映像などの各種のコンテンツを受信し再生して、ユーザーが現在受信される音源、映像などのコンテンツを放送中の状態で貯蔵するか、または予約を通じて貯蔵する場合、コンテンツ貯蔵による著作権料支払いのための課金データを加入者情報、コンテンツ貯蔵時間情報、チャンネル情報、貯蔵コンテンツＩＤなどに基づいて生成し、生成された課金データを通信網（リターンチャンネル：無線インターネット及び短文メッセージ伝送などを行う携帯電話通信網、両方向ページャー網、携帯インターネット（ワイブロ）などを含む）を通じて著作権料精算処理を行う課金処理事業者コンピュータ３００へ伝送する。
【００１５】
すなわち、ユーザーが直接別途の操作を行わずに受信端末機２００で、コンテンツ貯蔵による著作権料支払いのための課金データを加入者情報、コンテンツ貯蔵時間情報、チャンネル情報、貯蔵コンテンツＩＤなどに基づいて生成した後、課金処理事業者コンピュータ３００へ伝送するのである。
【００１６】
このとき、音源、映像などのコンテンツ貯蔵により受信端末機２００で生成され課金処理事業者コンピュータ３００へ伝送される課金データは、加入者情報、コンテンツ貯蔵時間情報、チャンネル情報、貯蔵コンテンツＩＤなどを含んでおり、ＤＭＢ事業者の必要に
応じて課金データに含まれる内容を異ならせて設定できることは勿論である。
【００１７】
また、受信端末機２００より課金処理事業者コンピュータ３００へ伝送される課金データは、無線インターネット及び短文メッセージ伝送などを行う携帯電話通信網、両方向ページャー網、携帯インターネット（ワイブロ）などの様々な通信網（リターンチャンネル）を用いて伝送される。
【００１８】
また、受信端末機２００は、ＤＭＢ事業者コンピュータ１００の制御に応じて送出される特定チャンネル（チャンネル番号で区分するか別途のダウンロードフラッグで区分）の場合にのみコンテンツの貯蔵ができるように構成され得る。すなわち、有料チャンネルの場合、有料チャンネルに登録することで有料チャンネルの使用ができるように、特定チャンネルに限ってコンテンツの貯蔵することが可能である。
【００１９】
また、受信端末機２００は、ＤＭＢ事業者コンピュータ１００の制御に応じて送出される特定のコンテンツを貯蔵するとき、当該受信端末機２００にのみ再生できるようにＤＲＭソリューションを適用することができる。ＤＲＭソリューションの適用は端末機のＩＤ（電話番号、ＥＳＮ、その他のＤｅｖｉｃｅ＿ＩＤなど）を基準として暗/復号化を行う
方法などを用いることができる。
【００２０】
また、受信端末機２００は、ユーザーが予約を通じて特定のコンテンツを貯蔵するとき、無線インターネットなどを用いて所望の日付の放送プログラム編成表を照会し、所望のコンテンツを指定すれば、当該予約時間情報及び予約貯蔵キー値などに基づいて予約貯蔵を行うことができるようにＥＰＧ（Ｅ１ｅｃｔｒｏｎｉｃ Ｐｒｏｇｒａｍ Ｇｕｉｄｅ）機能を備えることができる。例えば、ユーザーが無線インターネットでＥＰＧ提供サイトに接続した後、所望の日付、時間、プログラムなどを検索して貯蔵しようとするコンテンツを選択すれば、それぞれのコンテンツの予約時間情報または予約貯蔵キー値をＥＰＧ提供サイトより受け取って受信端末機２００に予め貯蔵した後、予約時間が一致するか、または放送中のコンテンツに含まれている予約貯蔵キー値とマッチングされれば予約貯蔵機能を行うことができるようにする。
【００２１】
また、受信端末機２００は、ユーザーの操作により一つ以上のコンテンツを貯蔵するとき、何れか一つのコンテンツとその次のコンテンツのデリミタを基準として各々のコンテンツを個別のファイルに区分して貯蔵することができる。例えば、ユーザーが予約録音で１時間に１０曲の音楽コンテンツを貯蔵した場合、一つのファイル（ＭＰ３などの形態）に１０曲の音楽コンテンツが貯蔵されるのではなく、１時間に放送される１０曲の音楽コンテンツ間に備えられているデリミタに基づいて１０曲の音楽コンテンツをそれぞれのファイル（ＭＰ３などの形態）で貯蔵するのである。
【００２２】
前記課金処理事業者コンピュータ３００は、通信網（リターンチャンネル：無線インターネット及び短文メッセージ伝送などを行う携帯電話通信網、両方向ページャー網、携帯インターネット（ワイブロ）などを含む）を通じて受信端末機２００よりユーザーの音源、映像などのコンテンツの貯蔵に応じて加入者情報、コンテンツ貯蔵時間情報、チャンネル情報、貯蔵コンテンツＩＤなどに基づいて生成された課金データを受信され、受信端末機２００より受信された課金データに基づいて各ユーザーが支払うべき著作権料を精算し、精算された著作権料精算情報を様々な有線または無線の通信網を通じてＤＭＢ事業者コンピュータ３００へ伝送する。
【００２３】
このとき、上述した課金処理事業者コンピュータ３００は、ＤＭＢ事業者コンピュータ１００より音源、映像などのコンテンツを貯蔵するユーザーが支払う著作権料のうち一部を課金処理情報提供に対する対価として支払われる。
【００２４】
図２は、上述した図１の受信端末機２００の構成をより詳しく示したブロック図である。
図面に示したように、キー入力部２１０は、デジタルマルチメディア放送サービスを用いるユーザーの操作による受信端末機２００の各種の機能に対するキー信号（例えば、電源動作キー信号、放送中の音源、映像などのコンテンツの貯蔵のための録音キー信号など）を制御部２２０へ出力する。
【００２５】
制御部２２０は、ＤＭＢ事業者コンピュータ１００の制御に応じて送出される音源、映像などの各種のコンテンツの放送信号受信部２３０を通じた受信と、表示部２４０及びオーディオ信号出力部２５０を通じた再生処理を制御し、キー入力部２１０より現在受信される音源、映像などのコンテンツを貯蔵するためのキー信号が入力されるか、または事前に受信端末機２００に貯蔵された予約貯蔵キー値と現在放送中の音源、映像などのコンテンツに含まれた予約貯蔵キー値とがマッチングされれば、ＤＭＢ事業者コンピュータ１００の制御に応じて送出されるコンテンツを貯蔵部２６０に貯蔵するように制御する。
【００２６】
そして、制御部２２０は、実際の貯蔵（録音、録画）が完了すれば、課金データ生成部２７０を通じてユーザーの操作により貯蔵したコンテンツの著作権料支払いのための課金データの生成を制御し、著作権料支払いのために生成された課金データを課金データ送受信部２８０を通じて課金処理事業者コンピュータ３００へ伝送するように制御する。
【００２７】
このとき、上述した制御部２２０は、ユーザーのキー操作による音源、映像などのコンテンツの貯蔵によって課金データ生成部２７０で加入者情報、コンテンツ貯蔵時間情報、チャンネル情報、貯蔵コンテンツＩＤなどに基づいて生成した課金データを課金データ送受信部２８０を通じて課金処理事業者コンピュータ３００へ伝送した後、これを受信したことを知らせる受信確認データ（すなわち、ＡＣＫ信号）が課金処理事業者コンピュータ３００より受信されれば課金データ伝送処理を終了し、課金データ生成部２７０で加入者情報、コンテンツ貯蔵時間情報、チャンネル情報、貯蔵コンテンツＩＤなどに基づいて生成した課金データを課金データ送受信部２８０を通じて課金処理事業者コンピュータ３００へ伝送した以後これを受信したことを知らせる受信確認データが課金処理事業者コンピュータ３００より受信されなければ、一定の時間間隔、決まった回数だけ課金データを課金処理事業者コンピュータ３００へ再伝送するように制御する。
【００２８】
放送信号受信部２３０は、制御部２２０の制御に応じて、ＤＭＢ事業者コンピュータ１００の制御に応じて衛星または中継器を通じて送出される音源、映像などの各種のコンテンツを受信する。
【００２９】
表示部２４０は、制御部２２０の制御に応じて放送信号受信部２３０を通じて受信した映像データを画面上に表示し、受信端末機２００の現在の動作状態を画面上に表示してユーザーが確認するようにする。
【００３０】
オーディオ信号出力部２５０は、制御部２２０の制御に応じて放送信号受信部２３０を通じて受信した音源データをスピーカーを通じて再生、出力する。
貯蔵部２６０は、制御部２２０の制御に応じて放送信号受信部２３０を通じて受信される音源、映像などのコンテンツを貯蔵し、制御部２２０の要請に応じて貯蔵された特定のコンテンツを出力する。
【００３１】
前記課金データ生成部２７０は、制御部２２０の制御に応じて、貯蔵部２６０に貯蔵したコンテンツの著作権料支払いのための課金データを加入者情報、コンテンツ貯蔵時間情報、チャンネル情報、貯蔵コンテンツＩＤなどに基づいて生成した後、課金データ送受信
部２８０へ出力する。
【００３２】
前記課金データ送受信部２８０は、制御部２２０の制御に応じて課金データ生成部２７０を通じて生成した課金データを通信網（リターンチャンネル：無線インターネット及び短文メッセージ伝送などを行う携帯電話通信網、両方向ページャー網、携帯インターネット（ワイブロ）などを含む）を通じて課金処理事業者コンピュータ３００へ伝送する。
【００３３】
図３は、上述した図１の課金処理事業者コンピュータ３００の構成をより詳しく示したブロック図である。
図面に示したように、データ送受信部３１０は、通信網を通じて受信端末機２００よりユーザーの音源、映像などのコンテンツ貯蔵に応じた加入者情報、コンテンツ貯蔵時間情報、チャンネル情報、貯蔵コンテンツＩＤなどに基づいて生成された課金データを受信して制御部３２０へ出力し、制御部３２０より入力される課金データを受信したことを知らせる受信確認データを受信端末機２００へ伝送し、制御部３２０の制御に応じて、受信端末機２００より受信された課金データに基づいて精算された各ユーザーの著作権料精算情報をＤＭＢ事業者コンピュータ１００へ伝送し、各ユーザーの著作権料精算情報を受信したことを知らせる受信確認データをＤＭＢ事業者コンピュータ１００より受信し制御部３２０へ出力する。
【００３４】
制御部３２０は、データ送受信部３１０を通じて受信端末機２００より、受信した課金データに基づいて各ユーザーが支払うべき著作権料の精算処理及び貯蔵を制御し、各ユーザーが支払うべき著作権料課金処理情報をデータ送受信部３１０を通じてＤＭＢ事業者コンピュータ１００へ伝送するように制御する。
【００３５】
著作権料精算処理部３３０は、制御部３２０の制御に応じて、データ送受信部３１０を通じて受信端末機２００より受信した課金データに基づいて各ユーザーが支払うべき著作権料を精算する。
【００３６】
データベース３４０は、ＤＭＢ事業者コンピュータ１００の制御に応じて送出される放送プログラム情報及び音源、映像などのコンテンツに対する著作権料情報を貯蔵しており、制御部３２０の制御に応じて、著作権料精算処理部３３０で精算した各ユーザーの著作権料精算情報を貯蔵する。
【００３７】
次いで、このように構成された本発明によるデジタルマルチメディア放送における著作権料課金処理方法の一実施例を図４a、４ｂを参照しながら詳しく説明する。
図４a、４ｂは、本発明によるデジタルマルチメディア放送における著作権料課金処理
方法の動作過程を詳しく示したフロー図である。
【００３８】
まず、ＤＭＢ事業者コンピュータ１００の制御に応じて音源、映像などのコンテンツが衛星または中継器を通じてデジタルマルチメディア放送サービスを用いるユーザーが所持している受信端末機２００で貯蔵しやすく送出される（Ｓ１０５）。
【００３９】
ＤＭＢ事業者コンピュータ１００の制御に応じて送出される音源、映像などのコンテンツを受信する受信端末機２００においては、現在放送中の状態でユーザーのキー操作によって録音スタートが選択されるか、または事前に予約された録音スタート時間になったのかを判断する（Ｓ１１０）。
【００４０】
判断した結果、ユーザーのキー操作により録音スタートが選択されるか、または事前に予約された録音スタート時間であれば、受信端末機２００では当該コンテンツのダウンロードが可能なのかを判断する（Ｓ１１５）。
【００４１】
判断した結果、当該コンテンツのダウンロードが可能であれば、受信端末機２００においては、ＤＭＢ事業者コンピュータ１００の制御に応じて送出される音源、映像などのコンテンツの貯蔵を行うと同時に著作権料支払いのための課金データの生成を加入者情報、コンテンツ貯蔵時間情報、チャンネル情報、貯蔵コンテンツＩＤなどに基づいて準備する（Ｓ１２０）。
【００４２】
しかし、上述した過程（Ｓ１１５）の判断結果、当該コンテンツのダウンロードが不可能であれば、受信端末機２００においては貯蔵不可メッセージを画面上に表示してユーザーが確認するようにする（Ｓ１２５）。
【００４３】
現在放送中のコンテンツの貯蔵を行う受信端末機２００においては、ユーザーのキー操作により録音終了が選択されるか、または事前に予約された録音終了時間になったのかを判断する（Ｓ１３０）。
【００４４】
判断した結果、ユーザーのキー操作により録音終了が選択されるか、または事前に予約された録音終了時間であれば、受信端末機２００においては現在放送中のコンテンツまで貯蔵を行い（Ｓ１３５）、ユーザーが貯蔵したコンテンツの著作権料支払いのための基礎情報である課金データを加入者情報、コンテンツ貯蔵時間情報、チャンネル情報、貯蔵コンテンツＩＤなどに基づいて生成する（Ｓ１４０）。
【００４５】
受信端末機２００においては、コンテンツの貯蔵により加入者情報、コンテンツ貯蔵時間情報、チャンネル情報、貯蔵コンテンツＩＤなどに基づいて生成された課金データを通信網（リターンチャンネル：無線インターネット及び短文メッセージ伝送などを行う携帯電話通信網、両方向ページャー網、携帯インターネット（ワイブロ）などを含む）を通じて課金処理事業者コンピュータ３００へ伝送し（Ｓ１４５）、課金処理事業者コンピュータ３００より課金データを受信したことを知らせる受信確認データが受信されたのかを判断する（Ｓ１５０）。
【００４６】
判断した結果、ユーザーのコンテンツ貯蔵により加入者情報、コンテンツ貯蔵時間情報、チャンネル情報、貯蔵コンテンツＩＤなどに基づいて生成される課金データを課金処理事業者コンピュータ３００へ伝送する受信端末機２００は、課金処理事業者コンピュータ３００より課金データを受信したことを知らせる受信確認データが受信されれば、受信端末機２００ではコンテンツの貯蔵処理を終了し貯蔵成功を知らせるメッセージを画面上に表示する（Ｓ１５５）。
【００４７】
しかし、上述した過程（Ｓ１５０）の判断結果、課金処理事業者コンピュータ３００より課金データを受信したことを知らせる受信確認データが受信されなければ、受信端末機２００では一定の時間間隔、決まった回数だけ課金データを課金処理事業者コンピュータ３００へ再伝送した後、決まった回数以内に最終的に受信確認データが受信されなければ貯蔵コンテンツを削除し貯蔵失敗を知らせるメッセージを画面上に表示する（Ｓ１６０）。
【００４８】
続いて、受信端末機２００より著作権料課金のための課金データを受信した課金処理事業者コンピュータ３００では、受信端末機２００より受信された課金データに基づいて各ユーザーが支払うべき著作権料を精算する（Ｓ１６５）。すなわち、ＤＭＢ事業者コンピュータ１００の制御に応じて放送されるコンテンツ情報と受信端末機２００より受信した課金データとの比較を通じて当該ユーザーが支払うべき著作権料の精算を行うのである。
【００４９】
課金処理事業者コンピュータ３００においては、精算された著作権料精算情報を様々な
有線または無線の通信網を通じてＤＭＢ事業者コンピュータ１００へ伝送する（Ｓ１７０）。
【００５０】
課金処理事業者コンピュータ３００より各ユーザーが支払うべき著作権料精算情報を受信したＤＭＢ事業者コンピュータ１００では、課金処理事業者コンピュータ３００より受信された著作権料精算情報に基づいて各ユーザーの著作権料徴収処理を制御する（Ｓ１７５）。
【００５１】
ＤＭＢ事業者コンピュータ１００においては、各ユーザーから徴収した著作権料利益金の一部を著作権料精算情報提供の対価として課金処理事業者コンピュータ３００へ提供する（Ｓ１８０）。
【００５２】
次いでは、このように構成された本発明によるデジタルマルチメディア放送における著作権料課金処理方法の他の一実施例を図５a、５ｂを参照しながら詳しく説明する。
図５a、５ｂは、本発明の望ましい一実施例によるデジタルマルチメディア放送におけ
る著作権料課金処理方法の動作過程を詳しく示したフロー図である。
【００５３】
まず、ＤＭＢ事業者コンピュータ１００の制御に応じて音源、映像などのコンテンツが衛星または中継器を通じてデジタルマルチメディア放送サービスを用いるユーザーが所持している受信端末機２００で貯蔵しやすく送出される（Ｓ５０２）。
【００５４】
前記ＤＭＢ事業者コンピュータ１００の制御に応じて送出される音源、映像などのコンテンツを受信する前記受信端末機２００では、前記音源、映像などのコンテンツに含まれた貯蔵（録音、録画）スタートキー値を検出して（Ｓ５０４）貯蔵（録音、録画）対象コンテンツであることを認識し前記コンテンツを臨時貯蔵領域に貯蔵する（Ｓ５０８）。
【００５５】
もし、コンテンツに含まれた貯蔵（録音、録画）スタートキー値が検出されなければコンテンツを臨時貯蔵領域に貯蔵（録音、録画）しない（Ｓ５０６）。
前記音源、映像などのコンテンツを前記臨時貯蔵領域に貯蔵し続けて（録音、録画）いるうちに（Ｓ５０８）、前記ユーザーにより入力される貯蔵キー信号があり（Ｓ５１０）、前記放送中の音源、映像などのコンテンツに含まれた貯蔵（録音、録画）終了キー値が検出されれば（Ｓ５１２）、前記受信端末機２００で前記ＤＭＢ事業者コンピュータ１００の制御に応じて送出される音源、映像などのコンテンツの著作権料支払いのために、加入者情報、コンテンツ貯蔵時間情報、チャンネル情報、貯蔵コンテンツＩＤなどに基づいて課金データを生成するようになる（Ｓ５１６）。
【００５６】
もし、前記音源、映像などのコンテンツを前記臨時貯蔵領域に貯蔵し続けて（録音、録画）いるうちに前記ユーザーにより入力される貯蔵キー信号がなく（Ｓ５１０）、前記放送中の音源、映像などのコンテンツに含まれた貯蔵（録音、録画）終了キー値が検出されれば（Ｓ５２０）、臨時貯蔵領域に貯蔵されたコンテンツを削除する（Ｓ５２４）。
【００５７】
前記受信端末機２００においては、前記著作権料支払いのために生成された課金データを通信網（リターンチャンネル：無線インターネット及び短文メッセージ伝送などを行う携帯電話通信網、両方向ページャー網、携帯インターネット（ワイブロ）などを含む）を通じて課金処理事業者コンピュータ３００へ伝送し（Ｓ５１８）、課金処理事業者コンピュータ３００より課金データを受信したことを知らせる受信確認データが受信されたかを判断する（Ｓ５２６）。
【００５８】
前記課金処理事業者コンピュータ３００より課金データを受信したことを知らせる受信確認データが受信されれば、前記受信端末機２００では臨時貯蔵領域に貯蔵された前記音
源、映像などのコンテンツを特定貯蔵領域（Ｐｒｏｔｅｃｔｉｏｎ Ｍｅｍｏｒｙ）再度
貯蔵し（Ｓ５２８）、貯蔵成功を知らせるメッセージを画面上に表示する（Ｓ５３０）。
【００５９】
しかし、前記課金処理事業者コンピュータ３００より課金データを受信したことを知らせる受信確認データが受信されなければ、受信端末機２００では一定の時間間隔、決まった回数だけ課金データを課金処理事業者コンピュータ３００へ再伝送した後、決まった回数以内に最終的に受信確認データが受信されなければ、前記受信端末機２００では課金データ伝送を終了し貯蔵失敗を知らせるメッセージを画面上に表示し（Ｓ５４０）臨時貯蔵領域に貯蔵された前記音源、映像などのコンテンツを削除する（Ｓ５４２）。
【００６０】
続いて、前記受信端末機２００より著作権料課金のための課金データを受信した課金処理事業者コンピュータ３００では、受信端末機２００より受信された課金データに基づいて各ユーザーが支払うべき著作権料を精算する（Ｓ５３２）。すなわち、ＤＭＢ事業者コンピュータ１００の制御に応じて放送されるコンテンツ情報と受信端末機２００より受信した課金データとの比較を通じて当該ユーザーが支払うべき著作権料の精算を行うのである。
【００６１】
前記課金処理事業者コンピュータ３００では、精算された著作権料精算情報を様々な有線または無線の通信網を通じてＤＭＢ事業者コンピュータ１００へ伝送する（Ｓ５３４）。
【００６２】
前記課金処理事業者コンピュータ３００より各ユーザーが支払うべき著作権料精算情報を受信したＤＭＢ事業者コンピュータ１００では、課金処理事業者コンピュータ３００より受信された著作権料精算情報に基づいて各ユーザーの著作権料徴収処理を制御する（Ｓ５３６）。
【００６３】
前記ＤＭＢ事業者コンピュータ１００では、各ユーザーから徴収した著作権料利益金の一部を著作権料精算情報提供の対価として課金処理事業者コンピュータ３００へ提供する（Ｓ５３８）。
【００６４】
図６a、６ｂは、本発明のさらに他の望ましい一実施例によるデジタルマルチメディア
放送における著作権料課金処理方法の動作過程を詳しく示したフロー図である。
まず、ユーザーがＥＰＧを用いてコンテンツインデックス（歌手、曲名、題目など）を用いて選択したコンテンツの予約貯蔵キー値を受信端末機２００に貯蔵し、ＤＭＢ事業者コンピュータ１００の制御に応じて音源、映像などのコンテンツが衛星または中継器を通じてデジタルマルチメディア放送サービスを用いるユーザーが所持している受信端末機２００で貯蔵しやすく送出される（Ｓ７０２）。
【００６５】
前記ＤＭＢ事業者コンピュータ１００の制御に応じて送出される音源、映像などのコンテンツを受信する受信端末機２００では、前記音源、映像などのコンテンツに含まれた貯蔵（録音、録画）スタートキー値を検出して（Ｓ７０４）貯蔵（録音、録画）対象コンテンツであることを認識し前記コンテンツを臨時貯蔵領域に貯蔵する（Ｓ７０８）。
【００６６】
もし、前記コンテンツに含まれた貯蔵（録音、録画）スタートキー値が検出されなければコンテンツを貯蔵（録音）しない（Ｓ７０６）。
前記音源、映像などのコンテンツを前記臨時貯蔵領域に貯蔵し続けて（録音、録画）いるうちに前記音源、映像などのコンテンツに含まれた予約貯蔵キー値を検出し、前記ユーザーが予め貯蔵した予約貯蔵キー値と比較して一致すれば（Ｓ７１０）、前記放送中の音源、映像などのコンテンツに含まれた貯蔵（録音、録画）終了キー値が検出された後（Ｓ７１２）、前記受信端末機２００で前記ＤＭＢ事業者コンピュータ１００の制御に応じて
送出される音源、映像などのコンテンツの著作権料支払いのために、加入者情報、コンテンツ貯蔵時間情報、チャンネル情報、貯蔵コンテンツＩＤなどに基づいて課金データを生成することになる（Ｓ７１６）。
【００６７】
もし、前記音源、映像などのコンテンツを前記臨時貯蔵領域に貯蔵し続けて（録音、録画）いるうちに前記ユーザーにより予約貯蔵キー値が貯蔵されていなかったかまたは貯蔵された予約貯蔵キー値が放送中のコンテンツに含まれた予約貯蔵キー値と異なる場合（Ｓ７１０）、前記放送中の音源、映像などのコンテンツに含まれた貯蔵（録音、録画）終了キー値が検出されれば（Ｓ７２０）、臨時貯蔵領域に貯蔵されたコンテンツを削除する（Ｓ７２４）。
【００６８】
前記受信端末機２００では、前記著作権料支払いのために生成された課金データを通信網（リターンチャンネル：無線インターネット及び短文メッセージ伝送などを行う携帯電話通信網、両方向ページャー網、携帯インターネット（ワイブロ）などを含む）を通じて課金処理事業者コンピュータへ伝送し（Ｓ７１８）、課金処理事業者コンピュータ３００より課金データを受信したことを知らせる受信確認データが受信されたかを判断する（Ｓ７２６）。
【００６９】
前記課金処理事業者コンピュータ３００より課金データを受信したことを知らせる受信確認データが受信されれば、前記受信端末機２００では臨時貯蔵領域に貯蔵された前記音源、映像などのコンテンツを特定貯蔵領域（Ｐｒｏｔｅｃｔｉｏｎ Ｍｅｍｏｒｙ）に再
度貯蔵（録音）し（Ｓ７２８）、貯蔵成功を知らせるメッセージを画面上に表示する（Ｓ７３０）。
【００７０】
しかし、前記課金処理事業者コンピュータ３００より課金データを受信したことを知らせる受信確認データが受信されなければ、受信端末機２００では一定の時間間隔、決まった回数だけ課金データを課金処理事業者コンピュータ３００へ再伝送した後、決まった回数以内に最終的に受信確認データが受信されなければ、前記受信端末機２００では課金データ伝送を終了し貯蔵失敗を知らせるメッセージを画面上に表示し（Ｓ７４０）、臨時貯蔵領域に貯蔵された前記音源、映像などのコンテンツを削除し終了することになる（Ｓ７４２）。
【００７１】
続いて、受信端末機２００より著作権料課金のための課金データを受信した課金処理事業者コンピュータ３００では、受信端末機２００より受信された課金データに基づいて各ユーザーが支払うべき著作権料を精算する（Ｓ７３２）。すなわち、ＤＭＢ事業者コンピュータ１００の制御に応じて放送されるコンテンツ情報と受信端末機２００から受信した課金データとの比較を通じて当該ユーザーが支払うべき著作権料の精算を行うことである。
【００７２】
前記課金処理事業者コンピュータ３００では、精算された著作権料精算情報を様々な有線または無線の通信網を通じてＤＭＢ事業者コンピュータ１００へ伝送する（Ｓ７３４）。
【００７３】
前記課金処理事業者コンピュータ３００より各ユーザーが支払うべき著作権料精算情報を受信したＤＭＢ事業者コンピュータ１００では、課金処理事業者コンピュータ３００より受信された著作権料精算情報に基づいて各ユーザーの著作権料徴収処理を制御する（Ｓ７３６）。
【００７４】
ＤＭＢ事業者コンピュータ１００では、各ユーザーから徴収した著作権料利益金の一部を著作権料精算情報提供の対価として課金処理事業者コンピュータ３００へ提供する（Ｓ
７３８）。
【００７５】
ここで、上述した本発明は望ましい実施例を参照しながら説明したが、当該技術分野の熟練された当業者は下記の特許請求の範囲に記載された本発明の思想及び領域から逸脱しない範囲内で本発明を多様に修正及び変形できることが理解できるであろう。
【図面の簡単な説明】
【００７６】
【図１ａ】図１ａは、本発明によるデジタルマルチメディア放送における著作権料課金処理システムの構成を概略的に示したブロック図である。
【図１ｂ】図１ｂは、本発明によるデジタルマルチメディア放送における著作権料課金処理システムの構成を概略的に示したブロック図である。
【図２】図２は、図１の受信端末機の構成を詳しく示したブロック図である。
【図３】図３は、図１の課金処理事業者コンピュータの構成を詳しく示したブロック図である。
【図４ａ】図４aは、本発明によるデジタルマルチメディア放送における著作権料課金処理方法の動作過程を詳しく示したフロー図である。
【図４ｂ】図４ｂは、本発明によるデジタルマルチメディア放送における著作権料課金処理方法の動作過程を詳しく示したフロー図である。
【図５ａ】図５aは、本発明の他の望ましい一実施例によるデジタルマルチメディア放送における著作権料課金処理方法の動作過程を詳しく示したフロー図である。
【図５ｂ】図５ｂは、本発明の他の望ましい一実施例によるデジタルマルチメディア放送における著作権料課金処理方法の動作過程を詳しく示したフロー図である。
【図６ａ】図６aは、本発明のさらに望ましい一実施例によるデジタルマルチメディア放送における著作権料課金処理方法の動作過程を詳しく示したフロー図である。
【図６ｂ】図６ｂは、本発明のさらに望ましい一実施例によるデジタルマルチメディア放送における著作権料課金処理方法の動作過程を詳しく示したフロー図である。
【符号の説明】
【００７７】
１００：ＤＭＢ事業者コンピュータ
２００：受信端末機
２１０：キー入力部
２２０：制御部
２３０：放送信号受信部
２４０：表示部
２５０：オーディオ信号出力部
２６０：貯蔵部
２７０：課金データ生成部
２８０：課金データ送受信部
３００：課金処理事業者コンピュータ
３１０：データ送受信部
３２０：制御部
３３０：著作権料精算処理部
３４０：データベース
【図１ａ】
2008502074.tif 000003
【図１ｂ】
2008502074.tif 000004
【図２】
2008502074.tif 000005
【図３】
2008502074.tif 000006
【図４ａ】
2008502074.tif 000007
【図４ｂ】
2008502074.tif 000008
【図５ａ】
2008502074.tif 000009
【図５ｂ】
2008502074.tif 000010
【図６ａ】
2008502074.tif 000011
【図６ｂ】
2008502074.tif 000012
【国際調査報告】
2008502074.tif 000013